(57)【要約】  種又は種苗の球面配列が半径方向で球体の中心を向き、成育を助長する光源が概ね球体の中心にあって苗木の成長が助長され、光源を中心に水平軸線上で球体を回転することによって、同時に全ての種又は種苗に任意に苗木の養分を含有する水を供給することによって、及び苗木の成育期中と非成育期中に光源を調整することによって、成長した苗木の間でほぼ等しい重量分布が維持される、苗木を育成するための方法と装置。
2008531066.tif 000002
【特許請求の範囲】
【請求項１】
苗木を育成するための方法であって、
（ａ）隣接する水平配列の回転ラックを備える段階であって、前記配列の各々が、凹状の内部と凸状の外部とを有する一連の部材を包含し、前記凹状の内部が苗木を支持し、前記苗木が各配列の中央の成長を助長する光源に向かって成長し、前記光源は、苗木の成長期中及び非成長期中で操作が可能であり、一つの配列の凸状の外面が、隣接する配列の凸状の外面と相互に噛合うようになっている、隣接する水平配列の回転ラックを備える段階と、
（ｂ）前記配列の一つを回転して、それによって前記回転ラック内の相互に噛合う配列の全てを同一の速度で共に回転させる段階と
（ｃ）前記一つの配列を回転する駆動位置から、前記一つの配列を回転しない荷積み／荷降ろし位置に、前記回転ラック内の配列を共に移動する段階と、
を含む、方法。
【請求項２】
前記回転ラック内の配列を回転しながら、滑らかでバランスの取れた回転のために各配列内で均一の重量分布を維持するように、同時に配列内の全ての苗木に散水する段階である、請求項１に記載の方法。
【請求項３】
回転速度及び苗木の養分を任意に含有する水の供給間隔と供給量と供給速度が、前記光源に向かう最適な苗木の成長のために選択される、請求項２に記載の方法。
【請求項４】
前記部材が、隣接する配列の間隔を空けた別々のアーチ型リブと相互に噛合う複数の間隔を空けた別々のアーチ型リブである、請求項１に記載の方法。
【請求項５】
前記部材が球体のセグメントである、請求項１に記載の方法。
【請求項６】
リブが回転する時に、各リブによって運ばれる苗木と接触するように前記リブの内部に水が供給される、請求項４に記載の方法。
【請求項７】
苗木が、前記配列の中央を示す複数の間隔を空けた穴のあるニードルに支持され、リブが回転する時に、前記穴のあるニードルを介して水が前記苗木に供給される、請求項５に記載の方法。
【請求項８】
前記光源が発光ダイオードである、請求項１に記載の方法。
【請求項９】
水が再循環なしで前記苗木に供給される、請求項２に記載の方法。
【請求項１０】
前記育成される苗木が、葉物野菜、緑色野菜、果物及びベリーのグループから選択される、請求項１に記載の方法。
【請求項１１】
前記育成される苗木が、バジル、サフラワー、アルーグラ、アルテミシア、レタス及びほうれん草のグループから選択される、請求項１に記載の方法。
【請求項１２】
花粉が前記配列内で、花が咲いている苗木から採取され、別の花が咲いている苗木に分配される、請求項１に記載の方法。
【請求項１３】
苗木を育成するための方法であって、
（ａ）隣接する水平配列の垂直な回転ラックを備える段階であって、前記配列の各々が、凹状の内部と凸状の外部とを有する一連の部材を包含し、前記凹状の内部が苗木を支持し、前記苗木が各配列の中央の成長を助長する光源に向かって成長し、前記光源は、苗木の成長期中及び非成長期中で操作が可能であり、一つの配列の凸状の外面が、隣接する配列の凸状の外面と相互に噛合うようになっている、隣接する水平配列の垂直な回転ラックを備える段階と、
（ｂ）前記配列の一つを回転して、それによって前記回転ラック内の相互に噛合う配列の全てを同一の速度で共に回転させる段階と
（ｃ）前記回転ラック内の配列を回転しながら、滑らかでバランスの取れた回転のために各配列内で均一な重量分布を維持するように、同時に配列内の全ての苗木に散水する段階と、
（ｄ）前記一つの配列を回転する駆動位置から、前記一つの配列を回転しない荷積み／荷降ろし位置に、前記回転ラック内の配列を共に移動する段階と、
を含む、方法。
【請求項１４】
回転速度及び苗木の養分を任意に含有する水の供給間隔と供給量と供給速度が、前記光源に向かう最適な苗木の成長のために選択される、請求項１１に記載の方法。
【請求項１５】
前記部材が、隣接する配列の間隔を空けた別々のアーチ型リブと相互に噛合う複数の間隔を空けた別々のアーチ型リブである、請求項１１に記載の方法。
【請求項１６】
前記部材が球体のセグメントである、請求項１１に記載の方法。
【請求項１７】
苗木を育成するための装置であって、
（ａ）隣接する水平配列の回転ラックであって、配列の各々が、凹状の内部と凸状の外部とを有する一連の部材を包含し、前記凹状の内部が苗木を支持し、前記苗木が各配列の中央の成長を助長する光源に向かって成長し、前記光源は、苗木の成長期中及び非成長期中で操作が可能であり、各配列の凸状の外面が、隣接する配列と相互に噛合う、隣接する水平配列の回転ラックと、
（ｂ）前記配列の一つを回転する手段であって、それによって前記回転ラック内の隣接する相互に噛合う配列の全てを同一の速度で共に回転させる手段と
（ｃ）前記一つの配列を回転する前記手段が作動する駆動位置から、回転する前記手段が作動しない荷積み／荷降ろし位置に、前記回転ラック内の配列を共に移動する手段と、
を具備する、装置。
【請求項１８】
前記部材が球体のセグメントである、請求項１７に記載の装置。
【請求項１９】
前記セグメントが相互に噛合う歯車の歯部を有する、請求項１８に記載の装置。
【請求項２０】
前記部材が、隣接する配列の間隔を空けた別々のアーチ型リブと相互に噛合う複数の間隔を空けた別々のアーチ型リブである、請求項１７に記載の装置。
【請求項２１】
回転ラック内の配列を回転しながら、滑らかでバランスの取れた回転のために各配列内で均一の重量分布を維持するように、同時に配列内の全ての苗木に散水する手段を包含する、請求項１１に記載の装置。
【請求項２２】
リブが回転する時に、各リブによって運ばれる苗木と接触するように前記リブの内部に水を供給する手段を包含する、請求項２０に記載の装置。
【請求項２３】
苗木を育成するための装置であって、
（ａ）隣接する水平配列の垂直な回転ラックであって、前記配列の各々が、凹状の内部と凸状の外部とを有する一連の部材を包含し、前記凹状の内部が苗木を支持し、前記苗木が各配列の中央の成長を助長する光源に向かって成長し、前記光源は、苗木の成長期中及び非成長期中で操作が可能であり、各配列の凸状の外面が、隣接する配列と相互に噛合う、隣接する水平配列の垂直な回転ラックと、
（ｂ）前記配列の一つを回転する手段であって、それによって前記回転ラック内の相互に噛合う配列の全てを同一の速度で共に回転させる手段と
（ｃ）前記回転ラック内の配列を回転しながら、滑らかでバランスの取れた回転のために各配列内で均一な重量分布を維持するように、同時に配列内の全ての苗木に散水する手段と、
（ｄ）前記一つの配列を回転する前記手段が作動する駆動位置から、回転する前記手段が作動しない荷積み／荷降ろし位置に、前記回転ラック内の配列を共に移動する手段と、
を具備する、装置。
【請求項２４】
前記部材が、隣接する配列の間隔を空けた別々のアーチ型リブと相互に噛合う複数の間隔を空けた別々のアーチ型リブである、請求項２３に記載の装置。
【請求項２５】
リブが回転する時に、各リブによって運ばれる苗木と接触するように前記リブの内部に水を供給する手段を包含する、請求項２４に記載の装置。
【請求項２６】
前記部材が球体のセグメントである、請求項２３に記載の装置。
【請求項２７】
前記セグメントが相互に噛合う歯車の歯部を有する、請求項２６に記載の装置。
【請求項２８】
前記光源が発光ダイオードである、請求項２７に記載の装置。
【請求項２９】
配列内で花が咲いている苗木から花粉を採取して、別の花が咲いている苗木に分配する手段を包含する、請求項２７に記載の装置。
【請求項３０】
配列内で花が咲いている苗木から花粉を採取して、別の花が咲いている苗木に分配する手段を包含する、請求項２３に記載の装置。
【請求項３１】
制御された雰囲気で苗木を育成するための方法であって、
（ａ）囲われた育成容器を備える段階であって、前記容器が、その上部に苗木を収容する育成培地、苗木の根茎がその下に及びその中に伸びることが出来る自由空間、並びに中央に配置され、基部から及び前記自由空間を介して延伸し、前記容器の上部の前記育成培地を支持するニードルを有する、囲われた育成容器を備える段階と、
（ｂ）回転可能な配列の内部の周囲に、ほぼ等間隔で複数の前記育成容器を配置し、前記容器とその中のニードルとが前記配列の中心を示す段階と、
（ｃ）前記配列の中央に成長を助長する光源を備える段階と、
（ｄ）前記配列を回転し、同時に前記容器内の自由空間に前記ニードルを介して、水、苗木の養分及び／又は選択されたガスを供給することによって、前記育成培地を飽和する段階と、
（ｅ）飽和に達した後で余剰の水と養分を取り除くと同時に、配列の回転速度並びに水と養分の供給量、供給間隔及び供給速度が、前記光源に向かう最適な苗木の成長のために選択される段階と、
（ｆ）苗木の成長期中及び非成長期中で前記光源を調整する段階と、
を含む、方法。
【発明の詳細な説明】
【技術分野】
【０００１】
本発明は、最大限の植物成長と作物生産を齎す理想の成育条件を作り出すために、制御された環境の使用、並びに光、水、養分、重力、遠心力、及び温度を正確に制御する組合せにおける、植物の成育ための方法と装置に関する。
【発明の開示】
【発明が解決しようとする課題】
【０００２】
本発明は、単純、小型及び自動化された設備で、様々な商業的に所望される作物を育成することが出来る高効率装置を提供する。所定の空間で育成することが可能な作物の量は、従来方法に比較して、好適な実施形態において4倍に増加する。本発明は、非常に制御された環境を作り上げ、それは、経済的な又は環境的な制約のために、以前は実施できなかった場所で苗木の成育を著しく促進することに適している。環境的観点において、本発明は、従来方法より著しく少ない水の使用と、養分溶液と育成培地の処分に関係する問題点を回避する。葉物野菜、青野菜、ハーブ、薬草、果物及びベリーを含む、さまざまな作物を育成するために本発明を使用することが出来る。
【課題を解決するための手段】
【０００３】
本発明は、各々の球体の中心にある光源に向かって成長する苗木の列を保持する回転する球体を提供する。正確な養分供給体系は、急速で効率の良い苗木の生育を助長する。回転ラックは、二つの垂直な列に複数の球体を保持して球体を回転し、一方、養分の供給装置と相互連結をする。回転ラックは、植え付けと収穫のための隣接するコンベヤーベルトと共に、幾つも並列して構成される。
【０００４】
運転中に球体は、種又は種苗で占められ、所定の生育体制を介して管理され、それらは養分の適用、検査と試験、品質管理及び、必要ならば、中間処理（間引き、選別除去、受粉、病害虫管理）を含む。成熟した作物は収穫され、収穫後の清掃のような維持管理によって、別の生産サイクルのために球体が準備される。
【０００５】
従って本発明は、苗木を成長させる方法を提供し、以下の段階を含む。
(a) 半径方向で球体の中心に面する種又は種木の球状の配列を用意する段階。
(b) 球状の配列の概ね中心に成長を促す光源を用意する段階。
(c) 光源を中心に水平方向の軸線上で球状の配列を回転することによって、光源に向かって成長する苗木の間でほぼ等しい重量分布を維持し、一方、それらが回転すると同時に、前記種又は種木の全てに苗木の養分を任意に含有する水分を、所定の間隔、量及び速度で供給する段階。
(d) 苗木の成長期中及び非成長期中で前記光源を調整する段階。
【０００６】
回転速度及び苗木の養分を任意に含有する水分を供給する間隔と量と速度は、光源に向かう最適な苗木の生長のために選択されることが好適である。
【０００７】
好適な実施形態において、配列は、円周線上にある複数のアーチ型リブを含み、それらは球体の水平軸線を通過し、リブは育成培地に間隔を空けて種又は種木を支持し、リブが回転する時に、苗木の養分を任意に含有する水分は、各々のリブによって運ばれる育成培地と接触するためにリブの内側に供給される。
【０００８】
別の実施形態において、配列は、円周線に沿っている複数の間隔を空けた穴のあるニードルに支持される育成培地に種又は種木を含み、ニードルは球状の配列の水平軸線を通過し球状の配列の中心を示し、ニードルが回転する時に、苗木の養分を任意に含有する水分は、前記穴のあるニードルを介して育成培地に供給される。
【０００９】
本発明はまた、苗木を育成するための装置を提供し、以下を含む。
(a) 半径方向で球状の配列の中心を向いている、好ましくは配列の水平軸線を通過する円周線に沿う、種又は種木の球状の配列。
(b) 苗木の成長期中及び非成長期中で操作が可能な、球状の配列の概ね中心にある成長を助長する光源。
(c) 光源を中心とする水平軸線上で球状の配列を回転する手段。
(d) 光源に向かって成長する回転する苗木の間で、ほぼ等しい重量分布を維持するために、苗木の養分を任意に含有する水分を、所定の間隔、量及び速度で種又は種木に、同時に供給する手段。
【００１０】
追加の手段は、光源に向かう最適な苗木の成長のために、回転速度並びに苗木の養分を任意に含有する水分を供給する間隔、量及び速度を調整するのに好適である。
【００１１】
好適な実施形態において、配列は、円周線上にある複数のアーチ型リブを含み、リブは球体の水平軸線を通過し、リブは育成培地に間隔を空けて種又は種木を支持し、リブが回転する時に、苗木の養分を任意に含有する水分は、各々のリブによって運ばれる育成培地と接触するためにリブの内側に供給される。
【００１２】
別の実施形態において、配列は、円周線に沿ってある複数の間隔を空けた穴のあるニードルに支持される育成培地に種又は種木を含み、ニードルは球状の配列の水平軸線を通過し球状の配列の中心を示し、ニードルが回転する時に、苗木の養分を任意に含有する水分は、前記穴のあるニードルを介して育成培地に供給される。
【００１３】
以下の図面は、好適な実施形態を示し、決して本発明を限定するあるいは制限することを意図していない。ここに開示され又は示された構成要素又は要素の、全ての周知の機能的に等価なものは、本発明の目的と範囲内にある。
【発明を実施するための最良の形態】
【００１４】
図１−１２は、閉鎖球体を使用する一つの実施形態を示し、一方、図１５−１９は、開骨格球体を使用する別の実施形態を示す。両方の実施形態は共通要素を共有し、図１−１２に示される基本的な特徴は、図１５−１９に例示される開骨格球体に容易に適合することが出来るようになっている。図１３と１４は、両方の実施形態に属する。
【００１５】
ここで図面を参照して、図１、２、２Ａ及び３は、回転ラックの水導入側の水導入軸受アセンブリ（図２）と回転ラックの電力入力側の電気入力軸受アセンブリ（図３）とを介して球体１０を相互連結し支持する、フレーム部材１６と１６‘と基盤部材１７、連接環１３及び連動装置１２で支えられる、下部と上部とのシャフト１５と１５‘によって直列回転のために装着される10個の球体１０を収容する回転ラックを示す。連接環１３は、連接ハブ１８及び連接環１３の係合軸受１１と１４のノッチ１３’を介して、駆動シャフト１５と１５’に装着される（図２Ａ）。図２の側面から示すように、シャフト１５‘は、巻き取り基盤１４０と軸受１４１とスロット１４２とを介して回転するために、フレーム部材１６と１６’に調整可能に装着される（図１１）。駆動位置から駆動歯車９０が最下部の球体を開放する荷降ろし/荷積み位置へ、迅速に全ての球体を回転するために、クラッチモータ（示されていない）によってシャフト１５と１５‘を回転することが出来る（図３と９から１０）。両方の位置で、各球体の歯状部２６は、相互に噛合うために連続して共に回転し、荷降ろし位置で、駆動車輪９０は開放され、球体を手動で容易に共に回転することが出来る。
【００１６】
駆動位置（図２）で、各球体１０の周囲に配置される歯状部２６は相互に噛合い、最下部の球体１０の歯状部２６を係合する歯輪９０（図９と１０）を介して個別に球体を回転する。駆動歯車９０はシャフト９１（図９）によって支えられ、シャフトはフレーム部材１６と１６‘（示されていない）の密閉された軸受によって回転のために支持される。変速モータ９３は、所望する速度でシャフト９１と歯車９０とを回転し、停止と開始のクラッチを備えることが可能であり、又は歯状部２６と歯車９０とを開放するために、シャフト９１を横方向に移動することが可能である。
【００１７】
図４Ａ−Ｄで示されるように、球体のセグメント又は球体の四分割体３１は、アーチ型端部３５と端部の装着フランジ３３と隆起したアーチ型リブ３２とを有し、それらの全ては組立てる時に、共に固定される球体１０の各端部と二枚重ねの隣接するリブ３２とで、円形の開口部とフランジとを形成するために一体となる。縦材の又はリブ形状の管２８は、マニホールド４１（図４ＢとＤ）に連結され、水と苗木の養分を同時にニードル３４（図４Ａ）に供給するために、等分に分割されたセグメントの各球体の四分割体３１の外側に沿って位置するように配置される。図４Ａに示される取っ手の代わりに、球体の四分割体３１を荷積み及び荷降ろしするために切り欠いた手穴を使用することが出来る。一般的に球体壁の穴は、空気の循環を助け、蓄積された熱を放散する。
【００１８】
水の軸受アセンブリ１１と電気の軸受アセンブリ１４（図２と３）とは、図４−Ｄで詳細に示される。中空シャフト７３と装着フランジ７５とは、各球体と共に回転する。水の供給側で、（図４Ｂの）ボルト７５’は、球体フランジ３３を水マニホールド４０と装着フランジ７５とに固定する。各球体の四分割体に一つの、五つに分かれた水供給マニホールド４１（図４ＢとＤ）は、フランジ７５とマニホールドリング４０とによって形成されるチャンバ６２と連絡し、ホース４６と取付部品８７と管８５とから水を、ニードル３４に供給する個別の管２８に分配する。図１７Ａ−Ｃにおいて、水は四つの指状マニホールド４１に供給され、以下により詳細に述べるように、それは管２８と連結部２１６とを介してアーチ型リブ２１０の内部に水を分配する。
【００１９】
シャフト７３の外部連動装置１２（図４ＢとＣ）は、外部ボール軸受６４に連結され、内部連動装置１２は、（図２Ａの連接環１３のノッチをガイドする）先細りのガイド板６８に連結され、内部ボール軸受６８’を囲う。中央のボール軸受６１は、縦一列になって球体を回転するためにノッチ１３’を係合する。カバープレート６５は、外部連動装置１２を介して外部軸受６４に連結される。
【００２０】
図４Ｂにおいて、ネジが切られた管８５は、回転する水取付部品８７に連結し、それは可撓性のホース４６を介して供給される。管８５は、水をチャンバ６２に供給し、フランジ７５及び取付部品８７の出口側と共に回転し、ホース４６に連結される取付部品８７の入口側は、所定の場所で旋回する。
【００２１】
図４Ｃにおいて、電気の入力側において導管７９は、光源２４に電力を供給するための電線８０を収納し、反対側の固定ナット８２を介して端部プレート６５によって支えられる。スナップリング７７は、両アセンブリの所定の場所に軸受を保持する。フランジ３３は、ボルト７５’を介してフランジ７５にボルト止めされる。
【００２２】
図２Ｂは、回転ラック内の五つの球体１０を一グループとして電力を供給することが可能な方法を図式的に示す。可撓性の電力コード１５４が一つの電気の軸受アセンブリ１４に取付けられ、その他の四つの軸受アセンブリ１４が、電力ライン１５２介して順番に電力を受容する。同様の配列が、回転ラック内のその他の五つの球体の軸受アセンブリ１４に電力を供給するために使用される。同型の配列が、球体１０に水を供給するために、回転ラックの反対側で使用される。可撓性の水ホース４６が、一つの水の軸受アセンブリ１１（図２）の回転する水の取付部品８７（図４Ｂ）に取付けられ、四つの他の軸受アセンブリ１１は、図２Ｂに示されるようにほぼ同様の方法で相互連結するホースライン又はホース１５２によって順番に水を受容する。その他の五つの球体は順番に、同様のやり方で水を受容する。
【００２３】
ニードル３４は、各ニードル３４が、概ね符号２４で示す光源を収容する球体の中心を示すように、間隔をあけた配列で各四分割体３１の内壁から突き出る（図４）。
【００２４】
図７により詳細に示されるように、各ニードル３４はその基部におネジが切られた部分を有し、それは四分割体３１の壁の開口部を介して延伸し、一対の向き合うナット７２によって所定の場所に保持される。各ニードルは、めネジが切られた穴７０を有し、その中に四分割体３１の外部で管２８と連結する水の取付部品７４、７６が捩じ込まれる。管２８からの水は、ニードル３４の、取付部品７４、７６と内部穴７０と開口部３８とを介して流れる。
【００２５】
図５と６の単純化された断面の詳細で示すように、四つの球体の四分割体３１は、２重のリブ３２で一体となり、それは球体１０を形成するために、例えばＵ字型ばね５７によって共に固定される。各ニードル３４は、図７に示したように各四分割体３１の内壁５６に装着される。示された実施形態において、ピートパック５０を保持する切り欠き部分を備えるロックウールの立方体５２は、各ニードル３４を下方に押しつけ、キャップ部材５５を介して所定の場所に保持し、適切なゴムワッシャ５９に圧力をかける。キャップ５５のスロット６０（図６）は、パック５０とロックウール５２の中に伸張する根茎と共に、苗木５４が球体１０の中心の光源に向かって成長させることを可能にする。
【００２６】
球体内の苗木の間に間隔を置いて噴霧ヘッドを備える、より長いニードルを使用することもまた可能である。このようなニードルは、選択された間隔と持続時間で球体の内部を噴霧するために水分配系統に連結されるだろう。噴霧は、高湿度条件を必要とする苗木を育成する場合に所望される。
【００２７】
図８は、図５に示された育成する培地のための代替の実施形態を示す。中空の円形容器８４は、傾斜する内部床８３’を形成する円錐形の基盤８３を有し、それは示すように、中央にニードル３４を受容する。円盤状の部材８１は、ニードル３４の上端部に装着され、蓋８６に接し、好ましくは蓋８６の下側のリング８８の範囲内でピートパック５０を支持する。苗木５４は、蓋８６の中央の開口部を介してパック５０内で成長し、その根茎は示したような容器８４内の自由空間に伸張する。水と養分は、ニードル３４を介して供給され、所定の回転する球体１０の全ての容器８４内で同時に開口部３８を介して自由空間に入る。一度、根茎とパック５０とが飽和状態になると、過剰の水を取り除くために水の供給系統を逆流させることが可能であり、水はニードル３４の基部の開口部３８’に向かって集められ、同時に苗木の成長を助長する空気及び／又は酸素をパック内に吸引する。球体１０の回転は、開口部３８’を介して取り除くために、過剰な水を容器８４の底部８３’に集める。
【００２８】
図８の実施形態は、ここに述べられるような回転する球体の使用に限定されない。過剰の散水及び根腐れを回避し防止する利点を備える、別の既存の水耕システムに使用することが出来る。容器８４の傾斜面を共通の水供給システムに接続することが可能で、それによって、選択された間隔で、水と養分が、ニードル４３を介して容器８４の内部に溢れ、露出した苗木の根茎に接触しピートパック５０を飽和する。過剰の散水は、飽和に達した時に水供給システムの逆流によって回避され、それによって開口部３８’を介して容器の基部から過剰な水を排出し、苗木の成長を促進するためにパック５０の中に空気を引き込む。
【００２９】
畑の土壌と類似する品質を備える育成培地を提供するために、鉱質土壌及び／又はピートで容器８４をまた充填することも可能である。有機作物を育成するために、土壌及び／又はピートを有機物として認定することが可能である。新しい又は再生した培地５０と共に再使用のために、容器８４を熱可塑性プラスチックから製作することが出来る。容器８４の壁を、空気は通過出来るが水は通さないような多孔体にすることも可能である。
【００３０】
育成培地５２（図５）と育成容器８４（図８）は、直径又は方形の一辺が7.6から10.2cm（3 to 4 inches）及び高さが7.6から10.2cm（3 to 4 inches）である。多孔性ゴム又はプラスチックの種の担体内に在ることが出来る種は、育成培地５０中に押し込まれる。予め育成された種苗は、同様のやり方で育成培地に移植することが可能である。種が発芽する場合に、根茎は、培地５０の中に伸張し、ニードル３４の開口部３８を介して水と養分を受容する。
【００３１】
図１５−２１は、一対の円形バンド２００、２０２、間隔を空けるバー２０４及び横方向ブレースから作られた開骨格球体を使用する好適な実施形態を示し、それらは回転するフランジ７５に取付けられる（図４Ｂと２１）。四つ又は八つのアーチ型リブ２１０は、リブ２１０（図１７Ｂ）の横方向の縁部２２０と保持部材２０５とを受容するスロット２０１と２０３を装着することを介して、バンド２００と２０２によって球体の各四分割体に支持される。リブは、中空の内部２１８を有し、示されるような水平方向の軸線を通過する球体の周囲線に沿うように形成される。各リブ２１０は、（例えば当技術分野で周知のエリクソン圧縮取付部品のような）水の取付部品２１６を備え、それは、各リブ内部２１８に水と養分を供給するための管２８と連結される（図１７、１８及び２１）。円錐形部材２１４は、球体のリブが水平軸線を中心に回転する場合に行われる、水の分配を助けるために外部又はリブの凹状側面からリブの内部２１８に延伸する。
【００３２】
円錐形部材２１４は、苗木が成育する間に、それらの先端（示されていない）にガス交換を促進するための開口部を有しても良い。空気交換はまた、育成培地３１０を介しても行われる。リブ２１０内部の水の高さは、好ましくは、円錐形部材２１４が先端に開口部を備える場合に漏洩を防止するために、円錐形部材の高さを越えるべきでない。リブ２１０が回転する場合に、リブ内部に供給された水は、宙返りして揺動し、全回転周期中に各リブに延伸する育成培地３１０に、概ね絶えず接触する。従って水は、リブが6時の位置にある時にリブの中央に集まり、水がリブの端部に集まるリブが12時の位置に回転するときに、宙返りして、そこで円錐形部材２１４によって分配される。それから、リブが6時の位置に戻る時に、分配が反転する。リブ内の水のこの運動はまた、育成培地と部材２１４の先端の開口部とを介してガス交換を促進する水ピストンとして作用する。周期的にリブに水を充填すること、及び成長する苗木が成長周期の期間中に、例えばバジルの場合に約1時間の間に水を使い尽くすことが出来ることが好適であり、そこで好ましくは苗木が乾燥する前に再充填する。
【００３３】
球体の回転は、図１、２、９と１０に示されたのと同様の方法で実施されるが、リブ２１０が歯状部２６に置き換わり、リブ自体が駆動歯車９０と噛合い、リブ相互が回転ラックの全ての球体をそれらの水平軸線を中心に回転させるように互いに噛合っていることが異なっている。隣接の回転する球体が２３０で互いに噛合うことが、図２０に示される。
【００３４】
各リブ２１０は、一連の間隔を空けた開口部２１２を備え、それは、半径方向で開骨格球体の中心を向いている（図１５）。好ましくは等間隔に空けた各開口部２１２は、図１８と１９に示すような苗木ホルダを受容する。ホルダは、中央開口部３０１を備える上部３０２有し、それを介して苗木３１２は、中心の光源２４に向かって半径方向内部に、育成培地３１０で成長する。培地３１０は、好ましくは、容易に入手可能なピートモスのパックであり、それを目の粗い布地又は網製の容器に入れることが可能である。
【００３５】
育成培地３１０は、頂部の内側と同一面になるまで、ホルダの底部３０４に入れられる。種又は種苗は、示すように開口部３０２を介して培地に容易に挿入される。苗木ホルダの上部３０２の下に、弾性的な保持リング又はワッシャ３０６が在り、その下に対応する形状のリブ２１０の開口部２１２を一方向に通過する固定リング３０８が在り、周知のとおり、90度回転した時に所定の場所に固定する。
【００３６】
図１９に示すように、育成培地３１０は、リブの内部２１８にホルダの下部３０４を越えて延在する。この曝露は好適であり、リブの内部２１８に有る水と良好な接触を確保する。水の又は水と養分の量は、苗木の最大成育のために選択される。球体が回転する時に水は、各リブが最高の垂直位置に有る場合に、端部に集まるだろう。それから流れ始め、球体が完全に360度を回転する時に、曝露した育成培地３１０に接触し、円錐形部材２１４は、育成培地３１０との最大接触のために水の分配を促進する。
【００３７】
図２１と２２は、装着フランジ７５（図４Ｂ）を介して延在する、ネジが切られた開口部８５”（図２２）を備える水のマニホールド２４０を示し、装着フランジにブレース２０６が、ボルト２３４を介して装着される。マニホールド２４０は、開口部８５”に捩じ込まれるネジが切られた端部８５’を介して、管８５の注入側に連結される。水は、旋回取付部品８７を介してホース４６から、マニホールド２４０の内部に入る管８５に供給され、管２８を介して流出し、管２８は取付部品２１６を介して個々のリブ２１０に連結される。
【００３８】
図２４ＡとＢは、図１５と１６に示すようなバンド２００と２０２及びブレース２０４と２０６による、又はよらない、球体にリブ２１０を装着する代替の実施形態を示す。各リブ２１０は、各端部に隣接して開口部２９４を備える拡張部材２９２を有する。部材２９２は、変更された装着プレート７５’の縁部に在る対応する半径方向のスロット２９０に挿入され、回転と苗木の成長のために、所定の場所に各リブを固定するための着脱が迅速な固定ピン２９１が、開口部２９４とスロット２９０とを貫通する。
【００３９】
種を種苗に発芽するために、より少ないエネルギーでよいことが見出され、好適な実践では、球体に装着する前に、リブの一連の並んだ傾斜面に種を蒔いて、種は人工光の下で急速に発芽し、種が発芽した後で、ここに述べられたような球体に装着される。
【００４０】
図２３は、受粉装置を示し、ストロベリー等のような成長する苗木を受粉するために有利に使用することが出来る。本発明は、例えば蜂からのような自然の受粉に頼ることなく、受粉を必要とする苗木の成長を可能にする。ある態様において、異花受粉のために花粉を採取し別の花にそれを散布するために、回転する球体内で花が咲いている苗木にやさしく接触する装置を装着することによって、球体内で受粉を促進することが出来る。これは迅速でさらなる成長を生ずる。図示された実施形態において、可撓性の心線２８１によって支持される羽根のようなチリ払い２８０が、ブロック２８４に装着され、次に光源２４の支持部７９に装着される。羽根アセンブリ２８０は、球体の内湾曲部までの輪郭を描き、球体内で花粉を採取し他の場所に広げるために、成長する苗木に軽く触れるように配置される。成長する苗木に対して周期的な又は一定の回転のために、その他の同様な手段を装着することが可能である。
【００４１】
一般的に苗木は重力、光及び養分に応答することが知られている。重力への応答は、優勢であり、それは苗木が、光源から離れて成長することになることになったとしても、本質的に重力に逆らって成長することを意味する。従って、逆さにされた苗木は向きを変え、光が来る方向とは無関係に、重力源から離れる方向に成長するだろう。本発明に従って、重力への応答は、マイクロ重力を発生する球体の回転速度を調整することによって中和され、マイクロ重力は、回転する苗木を中央の光源に向かって成長させる。選択された速度での球体の回転は、実際には、苗木の球体内の位置及び球体の中央水平軸線を中心とする苗木の回転にかかわらず、苗木をだまして光源に向かって成長させる。回転速度を経験的に決定することができ、約1と約10回転/分（rpms）の間で、好ましくは約1と約5rpmsの間で、作物の生長に依存して変わるだろう。従って、正常には垂直に成長する苗木において、不良な又は扁平な成長又は拡散成長するのを、回転速度を増加することによって、苗木が正常な成長パターンを回復するまで徐々に矯正することが可能である。ストロベリーは、例えば図２３に示したような助成受粉と共に、0.25rpmで実り豊かに成長することが判明した。
【００４２】
球体の回転速度、養分を伴った散水、ガス供給、温度、空気循環、光源及び昼夜期間は、実施例で示されるように、最適な苗木の成育のために選択される。
【００４３】
球体内の全ての苗木への同時の散水は、育成する苗木間でほぼ等しい又は均一の重量分布を保証する。このことは、ここで述べられたような回転速度を可能にし、図１に示すような回転ラックの運転に悪影響を及ぼしうる不均衡となることを防止する。例えば、不均一の重量分布が、不均一な軸受の摩損、駆動モータの過熱と故障、連動装置、継ぎ目及び結合部の応力、並びに装置の破損及び故障を導くような問題点の原因になる。球体内の全ての苗木が、ほぼ同量の光、養分及び回転速度を受容するから、苗木の成長による重量を増加もまた均一に分布し、従って、滑らかで均衡の取れた回転を維持する。
【００４４】
図４Ａに示される水分配装置は例えば、均一の重量分布と球体中の均衡を維持するように各苗木にほぼ同量の水を送達するために、ほぼ同一時間で球体の全てのニードル全てに水が到達するように加圧して運転される。各ニードルへ水のより正確な放出が、例えば高回転速度を使用するような、ある成育条件のために所望される場合に、各ニードルの基部に簡単な圧力逃がしバルブを設置することが可能である。このことは、水の圧力が閾値に到達すると同時に、全てのニードルが水を放出することを保証する。
【００４５】
異なる作物を同一の球体で育成出来るが、成長速度と作物の重量は、均一な重量分布と均衡を維持するために考慮されなければならない。向き合う球体の四分割体で苗木を育成することによって、不均衡を生み出すことなく一つの球体内で、異なる成長速度及び／又は作物の重量を備える二つの別種の作物を育成することが出来る。例えば、葉物レタスは四分割体１と３で育成でき、一方、ローマンレタスは四分割体２と４で育成される。
【００４６】
光源２４は、球体の内部で成長する苗木に、選択された間隔で成長を促進する紫外光線を照射する。光源２４は、導管７９の端部（図４Ｃ）で概ね各球体の中央に装着され、電気入力電線８０によって電気を供給される。光源はまた球体の水平軸線に沿って延伸出来る。光源は、球体の中央にあり、蛍光管又は蛍光管群、発光ダイオード（LED）、高圧ナトリウムランプ、その他の金属ハロゲンランプ、又は通常の電球又は電球群である。
【００４７】
本発明による苗木を育成するための一般的な工場が、図１３に示され、そこで10個の球体１０を各々が収容する、概ね１０８で示される回転ラックは、5列に配列される。タンク１０３は、ここに述べられるような球体に供給される水と苗木の養分とを収納する。電気装置キャビネット１０４と制御コンソール１０２は、所定の回転ラック内で球体の回転速度及び水と養分の供給速度を選択し調整するために使用される。
【００４８】
コンベヤーベルト１０６は、球体セグメント３１又はリブ２１を、荷積み場所から収穫領域及び裏手に移動するために使用される。図１２は、収穫するための成熟したレタス苗木１００を有するセグメント３１を示す。図１２の物のようなセグメント３１は、図１３で示された球体から取外され、苗木を収穫するために裏手に移動するためのベルト１０６に載せられ、苗木は、冷凍貯蔵領域に荷出しするために梱包され保持される。図１４は、図１３で示されたような一般的な苗木のための工程を示す。
【００４９】
その他の実施形態において、閉鎖球体の内部は、大気圧より高い圧力にすることが可能である。選択された気体は、二酸化炭素又は酸素であり、多量の淡水と苗木の養分とは、好ましくは、循環なしに育成培地に供給される。水に加えられた酸素は、根茎の成長を刺激し、二酸化炭素の注入は、苗木の成長を助長して、ダニと虫が球体に潜入するとそれらを排除し、従って、農薬の使用を排除する。図１５に示されるような開骨格球体の場合に、苗木の雰囲気又は回転ラック用のより小さな囲い内の雰囲気を、例えばクリーンルーム等で使用される周知の方法及び装置を使用して容易に制御することが可能である。
【００５０】
種から育成されるバジルと種木から育成されるサフラワーの種は、本発明によって高い生産で成長させることが出来る苗木の実施例である。本発明は、葉物緑色野菜、トマト、果物及びベリーを育成するために特に適している。以下は、本発明によって育成することが出来る代表的な作物の表である。
ハーブ
アロエベラ
アルテミシア−アルテミシアンヌア
バジル−アララットバジル−グリーングローブバジル−スウィートサラダバジル−タイバジル
シラントロ−スパイスコリアンダー−サントシラントロ
エキナシア−エキナシアプルプレア
ユーカリプタス−ユーカリプタスグローバラス−ペパーミントユーカリプタス
フェンネル
ゴールデンシール
レモンバーム
オオアザミ
オレガノ−ギリシャオレガノ−イタリアンオレガノ−メキシカンオレガノ
パプリカ−ピーマン
パセリ−アフロディーテパセリ−イタリアンパセリ−プレインパセリ
ペパーミント
唐辛子−ハバネロ−ハラペーニョ−タバスコ−スコッチボンネット−カイエン
セージ−エクストラクタセージ−ガーデンセージ
ヒペリカム
ユッカ−ユッカグロウカ
野菜類
豆−ゴールデンワックス−テンダーグリーン
ブロッコリー−ディチコ
カリフラワー−スノーボール
レタス−バターヘッド−ルースリーフ−オークリーフレッド−ロメイン
ほうれん草−マスタード−ニュージーランド
ピーマン−カルワンダー−ゴールデンカルワンダー−スイートチョコレート−ジャ      マイカンイエロー
トマト−ローマ−スイーティ
エンドウ豆−マンモスメルティング−オレゴンシュガーポッド
ベリー類
ブルーベリー−野生種及び栽培種
ストロベリー−全て
クランベリー
ブラックベリー
ラズベリー
【００５１】
各球体は、好ましくは、直径が121.9cm（48 inches）で、閉の場合に、四つの同一な対称部分を、又は開の場合に、各四分割体の四つ又は八つのアーチ型リブを有する。しかしながら、いかなる大きさにも球体を造ることが可能である。開発目的のため、121.9cmの大きさが、容易な使用のために用意され、苗木が光源に対して伸びる必要がないことを保証する。球体の四分割体とアーチ型リブとは、好ましくは、紫外線から保護されたＡＢＳプラスチックから製作される。
【００５２】
発光ダイオードは、苗木の成長と発達の特定の段階を斟酌して、球体内で光のスペクトラムの遠隔制御をすることが可能であるから、光源として好適である。発光ダイオードは蛍光灯より約25%のエネルギー削減になる。これは太陽エネルギーの使用を可能にし、それは遠隔地域で特に有益である。
【００５３】
通常室温で運転される球体内に蓄積される熱を、ここに述べたような開骨格球体を使用することにより、循環量を増加するためのファンを備えて又は備えずに、球体の壁に空気循環の開口部を用意することにより、及び／又は散水のためのマニホールド設備を介して内部の空気を排気することにより、苗木の囲いの内部温度を調整することによって制御することが出来る。
【００５４】
好適な注入ニードル３４は、全長約11.4cm（4.5 inches）（球体の内部壁から約8.9cm（3.5 inches））で直径0.95cm（3/8 inch）である。育成する苗木の要求に合わせて、ニードルの大きさを変えることができ、射出成形熱可塑性プラスチックから作られる。ニードルの数は、苗木の要求に基づいて変えても良い。121.9cm（48 inch）の球体用の一般的な植え付けでは、苗木が光に対して競争することが無いように等しく間隔を空けた、（球体当たり合計96本のニードルに対して）１列6本で4列のニードルの四分割体３１当たり24本の注入ニードルを利用する。
【００５５】
水と養分は、各回転ラックに関してタンクで混合される。タンクは、各回転ラックの各球体まで各配管に供給し、同時に注入ニードルを介して供給する。
【００５６】
体系全体及び個々の球体を閉じ込める能力は、齧歯動物又は害虫からの生産損失を最小にする又は無くす効果がある。苗木は、大地で育つよりウィルスにかかる可能は低くなる。制御された環境は、毒又は殺虫剤又は殺菌剤を使用することなく細菌及び害虫の侵入を低減する無菌環境で、苗木を育成することが出来る。球体は、受粉を必要とする果物及び野菜のために球体自体が受粉する。これは図２３に示されるように、又は単に球体を回転することによってなされ、花粉は落ちてその他の苗木に乗る。蜂は必要としない。
【００５７】
ある態様において、本発明は、所定の設置面積に対して育成空間領域を増加する。例えば、図１３に示すような、1,115平方メートル（12,000 square foot）のプラントにおいて、回転ラックの実際の設置面積は、577平方メートル（6,000 square feet）である。これは、平面の育成空間の4,645平方メートル（50,000 square feet）に相当する。
【００５８】
水は肥料をリサイクルするために、逆浸透タンクを介して処理される。土壌の消耗は起こらず、作物の交代は必要としない。
【００５９】
本発明は特に有用であり、少ない資本投資で新鮮な野菜と果物の地域供給源を提供する。出荷経費は最小化され、球体の使用は地域又は育成する季節に制限されず、水と電力の供給によってどのような場所にも適する。例えば栄養補給食品会社による特定の必要性に対する特別な要求と同様に、日々の食物要求を満たすために、苗木を加速した成長周期で育成することが可能である。世界の飢饉で必要なものを地域で対処することができ、森林再生のために地域で又は現場で、高品質の種木を育成することが可能である。有機栽培の生産物に対する要求はまた、食品ばかりでなく化粧品及び同様の製品のような食品で無い生産物に対しても満足される。
【００６０】
本発明はまた、例えば市場へ生産物を輸送する時に化石燃料の使用の低減、エネルギー効率、低減された及び微少の栄養素汚染、有毒農薬及び肥料の使用の排除、制御された及び低減された水の使用量並びに破棄された又は使用されていない設備の再利用のような環境的な利点を提供する。
【００６１】
本発明はここに、決して本発明を制限し限定することを意味しない幾つかの例示によって示されるだろう。
【００６２】
肥料構成−実施例１−７
Veg Ａ：窒素の水溶液、1.5%、硝酸カルシウムと硝酸カリウムから得られる水溶性ポットアッシュ（pot ash）、2.6％
Veg Ｂ：窒素の水溶液、0.5%、硝酸性窒素、0.5％、リン酸塩、0.5％、硝酸カリウム、リン酸及びポットアッシュの硫酸塩から得られる水溶性ポットアッシュ、5％
【００６３】
実施例５を除く実施例１−７は、（時々肥料として引き合いに出される）同一の養分混合を使用し、それは、水8ｌに30mlのVeg Ａと30mlのVeg Ｂとを混合して作られた。実施例５（スイートウォームウッド）においては、苗木に余分な窒素を供給するために、45mlのVeg Ａと30mlのVeg Ｂが水8lに添加された。
【００６４】
球体は、全ての実施例において1rpmで回転された。
【００６５】
pH値と養分のppm値のための絞り検査
実施例で参照される絞り検査は、ロックウェルキューブ内の養分塩類のppm（parts per million）値とpH値を測定するための試験である。検査は、根茎の塊を損傷しないように、優しくキューブを絞ることによって実施される。絞った時に、キューブ内の液体は滴り落ちて、清潔な容器に集められる。集められた液体は、pH値とppm値を検査される。pH値が高いと、苗木が異なる割合で水と養分を吸収してキューブのppm値を変えるから、苗木は成長する。養分塩類を淡水（ppm=0）に添加して養分の混合を作る時に、ppm値は上昇し、pH値は低下する。pH値は、苗木が成長するための適切な数値に調整される。苗木が養分を使用する時に、ppm値は低下し、pH値は上昇する。キューブ内のpH値とppm値を知ることによって、釣合いの取れた根茎領域の環境を提供するために養分の混合を調整することが出来る。強すぎる養分の混合は、根茎の損傷の原因になる。養分の混合が弱すぎると、苗木の成長の遅れの原因になり、養分の欠乏になる。
【００６６】
実施例１−７は、図１−１２に示されたような閉鎖球体の回転ラックを使用して実施され、実施例８−１０は、図１−１２に示された同一の支持体、駆動体、結合体及び軸受を使用する同一の回転ラックに装着された、図１５−２３に示されたような開骨格球体を使用して、即ち閉鎖球体が開骨格球体に置き換えられて実施された。
【実施例１】
【００６７】
アルテミシアンヌア
- 全ての水は、逆浸透の浄水装置から得られた。
- 全ての水は、2ml/Lの食品用過酸化水素で処理され、肥料が混合される前の20分間そのまま放置された。
【００６８】
植え付け
第1日目−−389ppmの希釈割合で水と肥料を調合し、pHを5.8に溶液調整する。淡水のみを用いて底部から再水和し、pHを5.8に調整する。ピートパックは、ずぶ濡れでなく湿らせるのがよい。ピートパックが触れてみて最早湿った状態でない場合に、第１日目と同一の溶液を用いて再水和する。
【００６９】
球体に移植
第５日目−7.6cm（3"）のロックウール立方体にピートパックを挿入し、固定リングを用いて針に固定する。pHを5.8で100ppmの混合肥料を使用する。
【００７０】
球体において
第６から７日目−pHを5.8に維持及び100ppmの肥料。日に3.8リットル（1ガロン）の散水する。
第８から１２日目−pHを5.8に維持及び200ppmの肥料。
第１３から１５日目−pHを5.8に維持及び400ppmの肥料。日に5.7リットル（1.5ガロン）の散水する。
第１６から２２日目−pHを5.8に維持及び600ppmの肥料。
第２３から２６日目−pHを5.8に維持及び800ppmの肥料。日に7.6リットル（2ガロン）の散水する。
第２７から３０日目−pHを5.8に維持及び1000ppmの肥料。
第３１から３４日目−淡水により単に作物から塩分の洗い流し。
第３５日目、作物を収穫。
【実施例２】
【００７１】
バタークランチレタス
- 全ての水は、逆浸透の浄水装置から得られた。
- 全ての水は、2ml/Lの食品用過酸化水素で処理され、肥料が混合される前の20分間そのまま放置された。
【００７２】
植え付け
第１日目−389ppmの希釈割合で水と肥料を混合し、pHを5.8に溶液調整する。淡水のみを用いて底部から再水和し、pHを5.8に調整する。ピートパックは、ずぶ濡れでなく湿らせるのがよい。ピートパックが触れてみて最早湿った状態でない場合に、第１日目と同一の溶液を用いて再水和する。
【００７３】
球体に移植
第５日目−7.6cm（3"）のロックウール立方体にピートパックを挿入し、固定リングを用いて針に固定する。pHを6.3で100ppmの混合肥料を使用する。
【００７４】
球体において
第６から１０日目−pHを5.9に維持及び150ppmの肥料。日に3.8リットル（1ガロン）の散水する。
第１１から１５日目−pHを5.9に維持及び250ppmの肥料。日に3.8リットル（1ガロン）の散水する。
第１６から１８日目−pHを5.9に維持及び300ppmの肥料。日に3.8リットル（1ガロン）の散水する。
第１９から２４日目−pHを5.9に維持及び450ppmの肥料。日に3.8リットル（1ガロン）の散水する。
第２５から３０日目−pHを5.9に維持及び550ppmの肥料。日に3.8リットル（1ガロン）の散水する。
第３１から４０日目−pHを5.9に維持及び650ppmの肥料。日に3.8リットル（1ガロン）の散水する。
第４１から５０日目−pHを5.9に維持及び720ppmの肥料。日に3.8リットル（1ガロン）の散水する。
第５１から５５日目−5.8pHでの淡水洗い、作物が収穫される。
第３５日目、作物を収穫。
【実施例３】
【００７５】
グリーンリーフレタス
- 全ての水は、逆浸透の浄水装置から得られた。
- 全ての水は、2ml/Lの食品用過酸化水素で処理され、肥料が混合される前の20分間そのまま放置された。
【００７６】
植え付け
第１日目−389ppmの希釈割合で水と肥料を混合し、pHを5.8に溶液調整する。淡水のみを用いて底部から再水和し、pHを5.8に調整する。ピートパックは、ずぶ濡れでなく湿らせるのがよい。ピートパックが触れてみて最早湿った状態でない場合に、第１日目と同一の溶液を用いて再水和する。
【００７７】
球体に移植
第５日目−7.6cm（3"）のロックウール立方体にピートパックを挿入し、固定リングを用いて針に固定する。pHを5.8で100ppmの混合肥料を使用する。
【００７８】
球体において
第６から１０日目−pHを5.9に維持及び150ppmの肥料。日に3.8リットル（1ガロン）の散水する。
第１１から１５日目−pHを5.9に維持及び300ppmの肥料。日に3.8リットル（1ガロン）の散水する。
第１６から２０日目−pHを5.9に維持及び400ppmの肥料。日に3.8リットル（1ガロン）の散水する。
第２１から２４日目−pHを5.9に維持及び500ppmの肥料。日に5.7リットル（1.5ガロン）の散水する。
第２５から３０日目−pHを5.9に維持及び550ppmの肥料。日に7.6リットル（2ガロン）の散水する。
第３１から４０日目−pHを5.9に維持及び600ppmの肥料。日に7.6リットル（2ガロン）の散水する。
第４１から４５日目−淡水はpHが5.8で水洗い、作物を収穫。
【実施例４】
【００７９】
ロマイン
- 全ての水は、逆浸透の浄水装置から得られた。
- 全ての水は、2ml/Lの食品用過酸化水素で処理され、肥料が混合される前の20分間そのまま放置された。
【００８０】
植え付け
第１日目−389ppmの希釈割合で水と肥料を混合し、pHを5.8に溶液調整する。淡水のみを用いて底部から再水和し、pHを5.8に調整する。ピートパックは、ずぶ濡れでなく湿らせるのがよい。ピートパックが触れてみて最早湿った状態でない場合に、第１日目と同一の溶液を用いて再水和する。
【００８１】
球体に移植
第８日目−7.6cm（3"）のロックウール立方体にピートパックを挿入し、固定リングを用いて針に固定する。pHを5.5で100ppmの混合肥料が使用された。
【００８２】
球体において
第９から１０日目：pHを5.5で100ppmの肥料が使用された。作物は１日２回散水された。
第１１日目：200ppmの肥料がpHを5.5で使用された。
第１２から２０日目：肥料は180ppmに減少され、pHを5.8に調整された。第13日目：作物はpHを5.8の淡水で洗い流された。
第２１：200ppmの肥料がpHを5.5で使用された。
第２２から２９日目：210ppmの肥料がpHを5.5で使用された。
第３０から３９日目：250ppmの肥料がpHを6.2で使用された。散水は日に3回に増やされた。
第４０から４１日目：280ppmの肥料がpHを5.5で使用された。
第４２から４５日目：作物は淡水で洗い流された。
第４６日目：96個の葉物冬密度ロマインレタスを収穫。良好な感触と風味を持った立派な緑色の葉。
【実施例５】
【００８３】
サフラワー
- 全ての水は、逆浸透の浄水装置から得られた。
- 全ての水は、2ml/Lの食品用過酸化水素で処理され、肥料が混合される前の20分間そのまま放置された。
【００８４】
植え付け
第１日目−389ppmの希釈割合で水と肥料を混合し、pHを5.8に溶液調整する。淡水のみを用いて底部から再水和し、pHを5.8に調整する。ピートパックは、ずぶ濡れでなく湿らせるのがよい。ピートパックが触れてみて最早湿った状態でない場合に、第１日目と同一の溶液を用いて再水和する。
【００８５】
球体に移植
第５日目−7.6cm（3"）のロックウール立方体にピートパックを挿入し、固定リングを用いて針に固定する。pHを5.5で100ppmの混合肥料を使用する。
【００８６】
球体において
第６から７日目−pHを5.8に維持及び150ppmの肥料。日に3.8リットル（1ガロン）の散水する。
第８から１２日目−pHを5.8に維持及び200ppmの肥料。
第１３から１５日目−pHを5.8に維持及び600ppmの肥料。
第１６から２２日目−pHを5.8に維持及び800ppmの肥料。
第２３から２９日目−第１６から２２日目と同様であるが、散水は日に7.6リットル（2ガロン）に増加される。
第３０から９３日目−pHを5.8に維持及び1200ppmの肥料。
第９４から９７日目−作物はpHを4.5の純水で洗い流される。
第９８日目−作物を収穫。
【実施例６】
【００８７】
ほうれん草
- 全ての水は、逆浸透の浄水装置から得られた。
- 全ての水は、2ml/Lの食品用過酸化水素で処理され、肥料が混合される前の20分間そのまま放置された。
【００８８】
植え付け
第１日目−389ppmの希釈割合で水と肥料を混合し、pHを5.8に溶液調整する。淡水のみを用いて底部から再水和し、pHを5.8に調整する。ピートパックは、ずぶ濡れでなく湿らせるのがよい。ピートパックが触れてみて最早湿った状態でない場合に、第１日目と同一の溶液を用いて再水和する。
【００８９】
球体に移植
第９日目−7.6cm（3"）のロックウール立方体にピートパックを挿入し、固定リングを用いて針に固定する。pHを5.5で100ppmの混合肥料を使用する。
【００９０】
球体において
第１０から１３日目−pHを6.2に維持及び100ppmの肥料。日に3.8リットル（1ガロン）の割合で散水する。
第１４から１６日目−pHを6.2に維持及び110ppmの肥料。日に3.8リットル（1ガロン）の割合で散水する。
第１７から２９日目−pHを6.2に維持及び130ppmの肥料。日に3.8リットル（1ガロン）の割合で散水する。
第３０から３２日目−pHを6.2に維持及び200ppmの肥料。日に3.8リットル（1ガロン）の割合で散水する。
第３３から３６日目−pHを6.2に維持及び250ppmの肥料。日に3.8リットル（1ガロン）の割合で散水する。
第３７から４２日目−pHを6.2に維持及び220ppmの肥料。日に3.8リットル（1ガロン）の割合で散水する。
第４３から４８日目−pHを6.2で日に2回淡水で洗い流す。作物を収穫。
【実施例７】
【００９１】
バジル
- 全ての水は、逆浸透の浄水装置から得られた。
- 全ての水は、2ml/Lの食品用過酸化水素で処理され、肥料が混合される前の20分間そのまま放置された。
【００９２】
植え付け
第１日目−389ppmの希釈割合で水と肥料を混合し、pHを5.8に溶液調整する。淡水のみを用いて底部から再水和し、pHを5.8に調整する。ピートパックは、ずぶ濡れでなく湿らせるのがよい。ピートパックが触れてみて最早湿った状態でない場合に、第１日目と同一の溶液を用いて再水和する。
【００９３】
球体に移植
第５日目−7.6cm（3"）のロックウール立方体にピートパックを挿入し、固定リングを用いて針に固定する。pHを5.8で100ppmの混合肥料を使用する。
【００９４】
球体において
第６から７日目−pHを5.8に維持及び100ppmの肥料。日に3.8リットル（1ガロン）の割合で散水する。
第８から１２日目−pHを5.8に維持及び200ppmの肥料。
第１３から１５日目−pHを5.8に維持及び400ppmの肥料。日に5.7リットル（1.5ガロン）の割合で散水する。
第１６から２２日目−pHを5.8に維持及び600ppmの肥料。
第２３から２６日目−pHを5.8に維持及び800ppmの肥料。日に7.6リットル（2ガロン）の割合で散水する。
第２７から３０日目−pHを5.8に維持及び1000ppmの肥料。
第３１から３４日目−淡水により単に作物から塩分の洗い流し。
第３５日目、作物を収穫。
【００９５】
実施例８−１０（図１−３と１５−２３）について
これらの実施例において、グロテックコンピュータ供給プログラム（GroTek Complete Feed Program）が使用されたが、これらはグロテック社（284-505-8840-210th- Street, Langley, B.C.V1M2Y2, Canada）から入手できる。一般的な情報は、グロテックのウェブサイト（http://www.GroTek.net/default.asp）から入手できる。
フィードプログラム用の調合チャートは、ウェブサイト（http://www.GroTek.net/products/charts/complete.asp）から入手できる。
これらの実例で使用されたフィードプログラムの構成要素は以下の通りである。
【００９６】
１．肥料
発芽用−グロテック促進発根溶液1-2-1（これらの番号は、各処方において、窒素−リン酸−カリ、又はＮ−Ｐ−Ｋの要素を示す。）
グロテックのテック１２３肥料用の処方を以下に示し、その他の処方は、メーカから入手できる。
成育用                          開花用
Tek.123 Grow1    4-0-6          Tek.123 Grow1    4-0-6
Tek.123 Micro2    3-0-2         Tek.123 Micro2    3-0-2
Tek.123 Bloom3    0-6-5         Tek.123 Bloom3    0-6-5
【００９７】
２．養分補給剤
成育用                          開花用
Bud Fuel    0-0-2               Bud Fuel    0-0-2
Monster Grow    20-40-0         Vita Max    1-1-2
Organic Fusion Grow    1-0-2    Monster Bloom    0-50-30
Range    1-0-0                  Bloom Blaster    0-39-25
LXR Gold    0-1-0               Organic Fusion Bloom    0-1-2
Heavy Bud    0-1-2
Rage    1-0-0
LXR Gold    0-1-1
Formula 1    0-2-4
【００９８】
３．調整剤
成育用                          開花用
Hydrozyme                       Hydrozyme
Final Flush                     MM2000
Final Flush
肥料、養分補給剤、及び調整剤は、ウェブサイト（http://www.GroTek.net/products/charts/complete.asp）から入手できるメーカの推奨案に従って調合された。
【００９９】
実施例８−１０は、メーカの供給プログラム計画書に従った。実施例９（バジル）は繰り返され、養分補給剤の調合は述べたように変更された。
グロテックの肥料の成分
Tek.123 Grow1
総窒素・・・・・・・・・・4%
3.7%硝酸塩中の窒素
0.3%アンモニア性窒素
水溶性カリウム合成物・・・6%
マグネシウム（Mg）・・・0.5%
3.6リットル（1ガロン）当たり15mlを加えて調合
Tek.123 Micro2
総窒素・・・・・・・・・3.0%
2.8%硝酸塩中の窒素
0.2%アンモニア性窒素
水溶性カリウム合成物・・2.0%
カルシウム（Ca）・・・・3.0%
鉄（Fe）・・・・・・・・0.2%
0.2%キレート鉄
マンガン（Mn）・・・・・0.05%
0.05%キレートマンガン
ボロン（B）・・・・・・0.02%
3.6リットル（1ガロン）当たり10mlを加えて調合
Tek.123 Bloom3
有効態の燐酸・・・・・・6.0%
水溶性カリウム合成物・・5.0%
マグネシウム（Mg）・・・0.5%
イオウ（S）・・・・・・3.0%
3.6リットル（1ガロン）当たり5mlを加えて調合
【実施例８】
【０１００】
アルーグラ
- 全ての水は、逆浸透の浄水装置から得られた。
- 全ての水は、2ml/Lの食品用過酸化水素で処理され、肥料が混合される前の20分間そのまま放置された。
- 週の肥料移行の間に、淡水によって12時間の間洗い流す。
- 炭酸ガスが、最初の16日間は1日24時間1500ppm、及び球体の中で全ての25日間、1日16時間1200ppmに設定される。炭酸ガスは光が照射される間だけ流される。
- 種を発芽するために、グロテックのキックスタート肥料が用いられる。育成するために、グロテックの完全グロテック供給プログラムが使用される。
【０１０１】
植え付け
第1日目−389ppmの希釈割合で水と肥料を混合し、pHを5.8に溶液調整する。淡水のみを用いて底部から再水和する。pHを5.8に調整する。ピートパックは、ずぶ濡れでなく湿らせるのがよい。ピートパックが触れてみて最早湿った状態でない場合に、第１日目と同一の溶液を用いて再水和する。
【０１０２】
球体に移植
第16日目−12本の苗木で各々のリブを埋める。この32倍が球体に使用される。給水配管を取付け、400Wの高圧ナトリウムランプを据付ける。ランプの上25.4cm（10"）の球体の内側が、日中24.4℃（76F）、夜間20.0℃（68F）であるように周囲温度を調節する。昼時間を14時間に設定する。定格5110リットル／分（1350GPM）のポンプが、記載された全ての散水時間に使用される。
【０１０３】
球体において
第1から7日目−週１、水と養分を調合し、300ppmに希釈した。週１にわたって、最大450ppmに濃度が上がった。システムが作動する最初は、0.5秒間、それから36時間毎に0.12秒の割合で長くポンプが作動するようにタイマーを設定し、pHを6.1に調整した。それから、日中は1時間毎に0.13秒間、夜間は0.1秒間を3回、ポンプを作動する。
第8から15日目−週２、水と養分を調合し、450ppmに希釈した。週２にわたって、最大600ppmに濃度が上がった。日中は1時間毎に0.13秒間、夜間は0.1秒間を3回、ポンプが作動するようにタイマーを設定し、pHを6.2に調整した。
第16から21日目−週３、水と養分を調合し、600ppmに希釈した。その週にわたって、最大720ppmに濃度が上がった。日中は1時間毎に0.19秒間、夜間は140分毎に0.19秒間、ポンプが作動するようにタイマーを設定し、pHを6.4に調整した。
第22から24日目−週３、水と養分を調合し、720ppmに希釈した。pHを6.4に調整した。23日目には、微量養分を添加しない。日中は1時間毎に1.20秒間、夜間は140分毎に0.19秒間、ポンプが作動するようにタイマーを設定した。
第25日目−5リットルの水に10mlの割合でグロテックのファイナルフラッシュ肥料リンス溶液を調合した。日中は1時間毎に1.10秒間、夜間は140分毎に0.19秒間、ポンプが作動するようにタイマーを設定し、pHを6.2に調整した。
【０１０４】
収穫
再育成の準備として、ピートパックホルダの頂部から6.4cmにまで苗木を刈り込んだ。初めの7日間に対して、7日供給日程を1日戻し、それ以降は正規の供給日程を継続した。
【実施例９】
【０１０５】
スウィートバジル
- 全ての水は、逆浸透の浄水装置から得られた。
- 全ての水は、2ml/Lの食品用過酸化水素で処理され、肥料が混合される前の20分間そのまま放置された。
- 週の肥料移行の間に、淡水によって12時間の間洗い流す。
- 炭酸ガスが、最初の16日間は1日24時間1500ppm、及び球体内の25日間全てで、1日16時間1200ppmに設定された。炭酸ガスは光が照射される間だけ流された。
- 種を発芽するために、グロテックのキックスタート肥料が用いられた。育成するために、グロテックの完全グロテック供給プログラムが使用された。
【０１０６】
植え付け
第1日目−389ppmの希釈割合に水と肥料を調合し、pHを5.8に溶液調整した。淡水のみを用いて底部から再水和する。pHを5.8に調整した。ピートパックは、ずぶ濡れでなく湿らせるのがよい。ピートパックが触れてみて最早湿った状態でない場合に、第１日目と同一の溶液を用いて再水和する。
【０１０７】
球体に移植
第16日目−移植されるべき各球体のために192のピートパックを水和した。一つのパックホルダに一つのピートパックを挿入した。各リブの水注入端部に始まる機械的な培地に6本の苗木を挿した。各苗木の間で苗木が一つの開口穴を離れて第一穴を埋めた。新たに水和したピートパックから一つのピートパックホルダで各開口穴を埋めた。ここことは、ｍ１として知られる。使用された各球体に対し16回これを行った。次に、水が注入されるリブ端部に始まる機械的な培地に、ピートパックホルダの六つの新たに水和したピートパックを挿入した。各々の間で一つの開口穴を離れる。苗木で開口穴を埋める。このことはｍ２として知られる。使用された全ての球体に対して16回これを行った。ｍ１、ｍ２の代わりのパターンを使用して球体フレームに培地を取付ける。水配管を取付け、1000ワットの高圧ナトリウムランプを据付けた。ランプの上の球体１０”の内側の周囲温度を、日中26.7℃（80F）、夜間20.0℃（68F）に調節した。昼時間を16時間に設定する。定格5110リットル／分（1350GPM）の高圧ポンプが、記載された全ての散水時間に使用される。
【０１０８】
球体において
第1から7日目−週１、水と養分を調合し、混合液を389ppmに希釈し、7日間で500ppmに濃度が上がった。日中は1時間毎に0.13秒間、夜間は0.1秒間を3回、ポンプを作動してpHを6.2に保持する。
第8から15日目−週２、水と養分を調合し、混合液を500ppmに希釈し、7日間で最大800ppmに濃度が上がった。日中は1時間毎に0.18秒間、夜間は0.15秒間を3回、ポンプを作動してpHを6.3に保持する。
第16から21日目−週３、水と養分を調合し、混合液を800ppmに希釈し、7日間で最大880ppmに濃度が上がった。日中は1時間毎に0.19秒間、夜間は140分毎に0.19秒間、ポンプを作動してpHを6.4に保持する。
第22から24日目−週３、水と養分を調合し、混合液を850ppmに希釈した。23日には微量養分を添加しなかった。日中は1時間毎に1.20秒間、夜間は140分毎に0.19秒間、ポンプが作動するように、タイマーを設定した。
第25日目−5リットルの水に10mlの割合でグロテックのファイナルフラッシュ肥料リンス溶液を調合した。日中は1時間毎に1.10秒間、夜間は140分毎に0.19秒間、ポンプが作動するように、タイマーを設定し、pHを6.2に調整した。
【０１０９】
実施例９は、週１の期間でモンスターグロー養分補給剤、週２の期間で、最初の16日間にテック１２３肥料混合物、それから残り時間にバッドフューエル養分補給剤を含むグロテックの試験計画書に従った。実施例９は、最初の5日間にモンスターグロー養分補給剤、しかし次の3日間にバッドフューエル養分補給剤、それから次の5日間はモンスターグローに戻して使用することによって、グロテックの試験計画書を変えて繰り返された。13日目に養分補給剤は、3日間、バッドフューエルにもう一度変えられ、それから最後の4日間にモンスターグローに戻った。実施例９の第二実施の作物の生産量は、第一実施での、25日間でバジルが3.0kg（6.7 pounds）、苗木当たりの平均重量21gと比較して、20日間で新鮮なバジルが3.4kg（7.4 pounds）、苗木当たりの平均重量25.25gであった。
【実施例１０】
【０１１０】
レッドオークリーフレタス
- 全ての水は、逆浸透の浄水装置から得られた。
- 全ての水は、2ml/Lの食品用過酸化水素で処理され、肥料が混合される前の20分間そのまま放置された。
- 週の肥料移行の間に、淡水によって12時間の間洗い流す。
- 炭酸ガスが、最初の16日間は1日24時間1500ppm、及び球体内の25日間全てで、1日16時間1200ppmに設定される。炭酸ガスは光が照射される間だけ流された。
- 種を発芽するために、グロテックのキックスタート肥料が用いられた。育成するために、グロテックの完全グロテック供給プログラムが使用された。
【０１１１】
植え付け
第1日目−389ppmの希釈割合に水で肥料を調合し、pHを5.8に溶液調整した。淡水のみを用いて底部から再水和する。pHを5.8に溶液を調整した。淡水のみを使用して底部から再水和する。pHを5.8に調整した。ピートパックは、ずぶ濡れでなく湿らせるのがよい。ピートパックが触れてみて最早湿った状態でない場合に、第１日目と同一の溶液を用いて再水和する。
【０１１２】
球体に移植
第16日目−移植されるべき各球体のために192のピートパックを水和した。一つのパックホルダに一つのピートパックを挿入した。各リブの水注入端部に始まる機械的な培地に6本の苗木を挿した。各苗木の間で苗木が一つの開口穴を離れて第一穴を埋めた。新たに水和したピートパックから一つのピートパックホルダで各開口穴を埋めた。ここことは、ｍ１として知られる。使用された各球体に対し16回これを行った。次に、水が注入されるリブ端部に始まる機械的な培地に、ピートパックホルダの六つの新たに水和したピートパックを挿入した。各々の間で一つの開口穴を離れる。苗木で開口穴を埋める。このことはｍ２として知られる。使用された全ての球体に対して16回これを行った。ｍ１、ｍ２の代わりのパターンを使用して球体フレームに培地を取付ける。水配管を取付け、1000ワットの高圧ナトリウムランプを据付けた。ランプの上の球体１０”の内側の周囲温度を、日中26.7℃（80F）、夜間20.0℃（68F）に調節した。昼時間を16時間に設定する。定格5110リットル／分（1350GPM）の高圧ポンプが、記載された全ての散水時間に使用される。
【０１１３】
球体において
第1から7日目−週１のために水と養分を調合し、300ppmに希釈した。その週の間で最大500ppmに濃度が上がった。システムが作動する最初は、0.5秒間、それから36時間毎に0.12秒間の割合で長くポンプが作動するようにタイマーを設定し、pHを5.8に調整した。日中は1時間毎に0.13秒間、夜間は0.1秒間を3回、ポンプを作動する。
第8から15日目−週２のために水と養分を調合し、560ppmに希釈した。その週の間で最大600ppmに濃度が上がった。日中は1時間毎に0.18秒間、夜間は0.15秒間を3回、及び日中は1時間毎に0.15秒間、夜間は140分毎に0.13秒間、ポンプが作動するようにタイマーを設定し、pHを5.9に調整した。
第16から21日目−週３のために水と養分を調合し、620ppmに希釈した。その週の間で最大800ppmに濃度が上がった。日中は1時間毎に0.19秒間、夜間は140分毎に0.19秒間、ポンプが作動するようにタイマーを設定し、pHを5.9に調整した。
第22から23日目−週３のために水と養分を調合し、800ppmに希釈した。pHを5.9に調整した。23日には微量養分を添加しなかった。日中は1時間毎に1.20秒間、夜間は140分毎に0.19秒間、ポンプが作動するようにタイマーを設定した。
第24日目−水のみを使用した。日中は1時間毎に1.20秒間、夜間は0.00秒間、ポンプが作動するようにタイマーを設定し、pHを5.8に調整した。
第25日目−グロテックのファイナルフラッシュ肥料リンス溶液を5ｌの水に対し10mlの割合で調合した。日中は1時間毎に1.10秒間、夜間は140分毎に0.19秒間、ポンプが作動するようにタイマーを設定し、pHを5.8に調整した。
【０１１４】
実施例８−１０の要約
作物                    収穫までの日数        収穫量
バジル                  球体内で25日間      3.0kg（6.7lbs.）
アルーグラ              球体内で25日間      2.3kg（5lbs.）
レッドリーフレタス      球体内で25日間      10.9kg（24lbs.）
【０１１５】
本発明が、好適な筋道、範囲、手段、材料、構造、構成要素、特徴、及び／又は構想を有するものとして述べられた一方で、本発明の原理に一般的に従い、並びに本発明が属する技術において周知の又は習慣的なやり方の範囲内にあるような、且つ以前にここで説明した、及び本発明と添付の請求項の領域範囲に含まれる主眼点に適用されてもよいような、現在の開示からの逸脱を含む、発明のさらなる改良、用途及び／又は応用が可能であることが理解される。
【図面の簡単な説明】
【０１１６】
【図１】回転可能な球体の回転ラックの配列を示す斜視図である。
【図２】駆動位置にある球体を水の供給側から示す、図１の回転ラックの側面図である。
【図２Ａ】図２の矢視線Ａ−Ａに沿って駆動歯車と連動装置を示す、部分的に切り離された図である。
【図２Ｂ】一連の五つの電気式軸受アセンブリに電力入力と配電とを示す、部分的に切り離された側面図である。
【図３】図２と同一であるが、電力供給側からの、荷積み・荷降ろし位置に回転した球体を示す図である。
【図４Ａ】図１に示す球体の部分的に切り離された斜視図である。
【図４Ｂ】球体の水導入側の軸受アセンブリの断面図である。
【図４Ｃ】球体の電力側の軸受アセンブリの断面図である。
【図４Ｄ】球体の中央から半径方向線上にある内部ニードルを備える球体の両側の、図４Ｂと４Ｃの軸受アセンブリの部分的に断面の正面図である。
【図５】苗木に生育を助長する物質を供給するためのニードル上の育成培地に若い苗木を示す、本発明の育成球体の断面図である。
【図６】図５に示す育成培地の蓋の平面図である。
【図７】図５に示す供給ニードルの、部分的に隠れ線で示す側面図である。
【図８】本発明に従う育成容器と供給ニードルの、代替の実施形態の部分的に切り離された斜視図である。
【図９】図１に示す連結された球体を回転するための駆動機構の詳細な側面である。
【図１０】図１に示される連結された球体を回転するための駆動機構の端面図である。
【図１１】駆動位置と荷積み／荷降ろし位置との間で球体を動かすための、図２と３に示す駆動シャフト及び連接ハブアセンブリの組立分解斜視図である。
【図１２】収穫する状態にある十分に成育した苗木を備える、球体の四分割体の斜視図である。
【図１３】独創的な方法を実施するために、本発明の球体を利用するプラントの全体斜視図である。
【図１４】図１３に示すプラントの工程を図示する流れ線図である。
【図１５】開骨格球体とそれに装着されるアーチ型の苗木を支持するリブとを使用する、好適な実施形態の斜視図である。
【図１６】図１５に示す球体の詳細部分図である。
【図１７Ａ】図１５で使用されるアーチ形リブの特徴を示す図である。
【図１７Ｂ】図１５で使用されるアーチ形リブの特徴を示す、部分的に切り離された図である。
【図１７Ｃ】図１５で使用されるアーチ形リブの特徴を示す、部分的に切り離された図である。
【図１８】リブと苗木ホルダの組立分解部分図である。
【図１９】図１７のリブと共に使用する苗木ホルダ内の苗木の斜視図である。
【図２０】回転中にそれぞれのリブを介して相互に噛合う、二つの開骨格球体の部分を示す斜視図である。
【図２１】開骨格球体のアーチ型リブに水を供給するための回転する水マニホールドを示す側面内部図である。
【図２２】図２１の水マニホールドの、導入側からの斜視図である。
【図２３】球体の内部に装着されるアーチ型の羽根の形状の受粉装置の側面内部図である。
【図２４Ａ】開骨格球体にアーチ型リブを装着する代替の実施形態の組立分解図である。
【図２４Ｂ】開骨格球体にアーチ型リブを装着する代替の実施形態の組立分解図である。
【図１】
2008531066.tif 000003
【図２】
2008531066.tif 000004
【図２Ａ】
2008531066.tif 000005
【図２Ｂ】
2008531066.tif 000006
【図３】
2008531066.tif 000007
【図４Ａ】
2008531066.tif 000008
【図４Ｂ】
2008531066.tif 000009
【図４Ｃ】
2008531066.tif 000010
【図４Ｄ】
2008531066.tif 000011
【図５】
2008531066.tif 000012
【図６】
2008531066.tif 000013
【図７】
2008531066.tif 000014
【図８】
2008531066.tif 000015
【図９】
2008531066.tif 000016
【図１０】
2008531066.tif 000017
【図１１】
2008531066.tif 000018
【図１２】
2008531066.tif 000019
【図１３】
2008531066.tif 000020
【図１４】
2008531066.tif 000021
【図１５】
2008531066.tif 000022
【図１６】
2008531066.tif 000023
【図１７Ａ】
2008531066.tif 000024
【図１７Ｂ】
2008531066.tif 000025
【図１７Ｃ】
2008531066.tif 000026
【図１８】
2008531066.tif 000027
【図１９】
2008531066.tif 000028
【図２０】
2008531066.tif 000029
【図２１】
2008531066.tif 000030
【図２２】
2008531066.tif 000031
【図２３】
2008531066.tif 000032
【図２４Ａ】
2008531066.tif 000033
【図２４Ｂ】
2008531066.tif 000034
【国際調査報告】
2008531066.tif 000035
2008531066.tif 000036